(57)【要約】      （修正有）【課題】本考案は、“余分の電子カード”と電気的に接触するための、更にもう一つの、モジュール化されたコネクタモジュールを増設でき、そして、当該コネクタモジュールが、交換可能である、カード読取装置を提供する。【解決手段】組み立て部品が設けられる、絶縁主体１と、モジュール主体２１と当該モジュール主体上に設けられる複数の信号端子２２と当該モジュール主体上に設けられる位置付け部品２３とがある、コネクタモジュール２と、があり、当該位置付け部品と前記絶縁主体の組み立て部品１１が、互いに位置付けさせることにより、当該コネクタモジュールが、安定的に、当該絶縁主体上に位置付けられ、また、モジュール化の方式で、他の電子カードに使用される他のコネクタモジュールに変更できる。【選択図】図１
0003109586.tif 000002
【実用新案登録請求の範囲】
【請求項１】
組み立て部品が設けられる、絶縁主体と、
モジュール主体と、当該モジュール主体上に設けられる複数の信号端子と、当該モジュール主体上に設けられる位置付け部品とがある、コネクタモジュールと、があり、
当該位置付け部品と前記絶縁主体の組み立て部品が、互いに位置付けさせることを特徴とするカード読取装置。
【請求項２】
絶縁主体の組み立て部品には、互いに対称する二つの組み立て体があり、当該二つの組み立て体の隣接側には、夫々、位置付け部が設けられ、前記のコネクタモジュールの位置付け部品は、当該二つの位置付け部に位置することを特徴とする請求項１に記載のカード読取装置。
【請求項３】
絶縁主体において、その組み立て部品の各当該位置付け部内に、更に、凹みが設けられ、前記のコネクタモジュールの位置付け部品に対応する部分は、当該二つの凹み内に係合されることにより位置付けられることを特徴とする請求項２に記載のカード読取装置。
【請求項４】
コネクタモジュールの位置付け部品には、二つの、互いに対向する、当該モジュール主体に位置する弾性アームが設けられ、当該二つの弾性アームは、前記の絶縁主体の組み立て部品とは、互いに位置付けさせることを特徴とする請求項１に記載のカード読取装置。
【請求項５】
コネクタモジュールにおいて、その位置付け部品の各当該弾性アームの自由端には、更に、突出が設けられ、各当該突出が、前記の絶縁主体の組み立て部品内に係合されることにより位置付けすることを特徴とする請求項４に記載のカード読取装置。
【請求項６】
更に、当該絶縁主体の一側上を覆うように、絶縁主体に固定される、遮蔽枠体があり、当該遮蔽枠体と絶縁主体との間には、カード収納空間が形成されることを特徴とする請求項１に記載のカード読取装置。
【請求項７】
遮蔽枠体には、押さえ部品が設けられ、当該押さえ部品は、弾性的に、当該コネクタモジュールのモジュール主体上に押さえることを特徴とする請求項６に記載のカード読取装置。
【請求項８】
遮蔽枠体の押さえ部品には、二つの、当該遮蔽枠体に位置する押さえ弾性シートが形成され、当該二つの押さえ弾性シートは、弾性的に、前記のモジュール主体上に押さえることを特徴とする請求項７に記載のカード読取装置。
【請求項９】
遮蔽枠体には、更に、アース部品が設けられ、当該アース部品は、前記のカード収納空間内に延ばして入り、当該アース部品の他の一部がアースに供することを特徴とする請求項６に記載のカード読取装置。
【請求項１０】
遮蔽枠体のアース部品には、カード収納空間内へ延ばす第１のアース部品と、当該金属質である遮蔽枠体から突出する第２のアース部品とがあり、当該第１のアース部品は、前記のカード収納空間内へ延ばし、当該第２のアース部品は、アースに供することを特徴とする請求項９に記載のカード読取装置。
【請求項１１】
遮蔽枠体には、更に、複数の固定部品が形成され、各当該固定部品は、絶縁主体に対応する位置に設置される各当該固定部に係合されることにより、固定される、ことを特徴とする請求項６に記載のカード読取装置。
【請求項１２】
絶縁主体には、複数の既存の信号端子があり、当該コネクタモジュールの信号端子の溶接部の全てと、既存の信号端子の溶接部の全てとは、同一の直線上に位置することを特徴とする請求項１に記載のカード読取装置。
【考案の詳細な説明】
【技術分野】
【０００１】
本考案は、「カード読取装置」に関し、特に、余分に増設される、交換可能なコネクタモジュールにより、適用性が向上され、また、当該コネクタモジュールの信号端子溶接部が、既存の信号端子溶接部と同一の直線上に位置するものに関する。
【背景技術】
【０００２】
カード読取装置は、電子カードを挿着することに供され、当該電子カードと電子製品との間において、情報の取り扱いを行い、今において、電子カードは、様々の規格や大きさがあるため、種類が多くて、複数・イン・オンのカード読取装置が登場する。
【０００３】
従来の複数・イン・オンのカード読取装置は、一般、ＳＭＴ方式で、電子製品の回路基板上に電気的に溶接され、挿着された電子カードは、当該回路基板により、電子製品との情報取り扱いを行うが、発明者は、当該カード読取装置について、更にもう一つの“余分の電子カード”が挿着できると好ましいと思うため、コネクタを高い位置にして、その信号端子を当該カード読取装置に電気的に溶接し、そして、当該コネクタの信号端子全てが、電子カードとの電気的に接触するために、当該カード読取装置内へ延ばすように、当該コネクタを設置することにより、当該余分の電子カードは、それと電気的に接触でき、情報の取り扱いが行える、を提案する。
【０００４】
上記の発明者の提案は、“挿着できる当該余分の電子カードが多くなる”目的が達成できるが、次の課題は、解決されない。
【０００５】
１、カード読取装置を電気的に溶接した後、電気的にそのコネクタを溶接する時、夫々に、前後にして溶接することになるため、作業が複雑になる。
【０００６】
２、当該カード読取装置とコネクタとを、同時に、ＳＭＴ方式で電気的に溶接する時、カード読取装置においては、溶接漏れ或いは溶け込み不足が、容易に発生し、その場合、まず、コネクタを外して、溶接しなおし、最後に、当該コネクタを溶接する作業が必要であるため、作業が複雑になり不便である問題になる。
【０００７】
本発明者は、上記の欠陥が改善可能であるため、慎重に研究して、また、学理に合わせて、設計が合理的で、有効に上記の欠陥を改善する考案を提案する。
【考案の開示】
【考案が解決しようとする課題】
【０００８】
本考案の目的は、有効的に、増設するコネクタが、着け外し可能なコネクタモジュールになることにより、当該コネクタモジュールが交換可能で、必要とする電子カードに対応する他のコネクタモジュールに交換でき、そして、容易に溶接し直しができる効果が得られる、「カード読取装置」を提供する。
【課題を解決するための手段】
【０００９】
本考案は、上記の目的を達成するため、
組み立て部品が設けられる、絶縁主体と、
モジュール主体と、当該モジュール主体上に設けられる複数の信号端子と、当該モジュール主体上に設けられる位置付け部品とがある、コネクタモジュールと、があり
当該位置付け部品と前記絶縁主体の組み立て部品が、互いに位置付けさせることにより、安定的に位置付けできる、カード読取装置を提供する。
【考案を実施するための最良の形態】
【００１０】
図面を参照しながら、本考案に係わる技術の特徴や目的及び効果を、以下の実施例により、詳しく説明する。
【００１１】
本考案に係わるカード読取装置は、図１〜４のように、絶縁主体１と、当該絶縁主体１上に実装できるコネクタモジュール２とがあることにより、少なくとも一つの電子カードが挿着され、様々の電子カードと電子製品との間に、情報の取り扱いができる。もちろん、本考案に係わるカード読取装置の絶縁主体１内には、電子カードを排出するための排出機構が設けられるが、本考案の特徴と関係ないから、図に表示されない。
【００１２】
当該絶縁主体１において、その裏側に、組み立て部品１１と、複数の、既存の信号端子１４とが設けられ、その内部は、図に表示していない電子カードを挿着するためのカード収納空間１３である。
【００１３】
当該コネクタモジュール２には、モジュール主体２１と、複数の、当該モジュール主体２１上に設けられる信号端子２２と、当該モジュール主体２１上に設けられる位置付け部品２３とがあり、各信号端子２２には、一端に位置して電子カードと接触するための接触部２２１と、他の一端に位置し図に表示されていない回路基板上（当該回路基板は、何れの電子製品の回路基板である）に溶接するための溶接部２２２とがあり、また、当該位置付け部品２３と前記絶縁主体１の組み立て部品１１が、互いに位置付けさせることにより、当該コネクタモジュール２は、その位置付け部品２３により前記の組み立て部品１１に実装されて、位置付けされる。これにより、本考案に係わるカード読取装置は、複数の既存の（元の）信号端子１４により、夫々、複数の電子カード（図に表示せず）が電気的に接触されるだけでなく、当該余分の、実装されるコネクタモジュール２により、もう一組の信号端子が、余分の電子カード（図に表示せず）の挿着に供し、そして、電気的に接触することになる。
【００１４】
好ましいのは、当該組み立て部品１１には、更に、互いに対称する二つの組み立て体１１１があり、当該二つの組み立て体１１１の隣接側には、夫々、位置付け部１１２が設けられ、当該コネクタモジュール２の位置付け部品２３には、二つの、互いに対向する、当該モジュール主体２１に位置する、前記の位置付け部１１２に対応する弾性アーム２３１が設けられ、これにより、当該二つの弾性アーム２３１が、対応する位置付け部１１２の内に係合し、当該コネクタモジュール２は、当該絶縁主体１上に位置付けされる。
【００１５】
好ましいのは、上記の組み立て部品１１において、各当該位置付け部１１２内には、更に、凹み１１３が設けられ、また、前記の位置付け部品２３の各当該弾性アーム２３１の自由端には、更に、突出２３２が設けられ、各当該弾性アーム２３１は、突出２３２により、対応する位置付け部１１２の凹み１１３内に係合されて、確実に位置付けられる。
【００１６】
好ましいのは、本考案によれば、当該カード読取装置には、更に、当該絶縁主体１上を覆う遮蔽枠体３が設けられ、また、当該遮蔽枠体３と絶縁主体１との間には、電子カードを挿着するためのカード収納空間１３を形成し、そして、手前には、電子カードを挿入するための開口部の挿入槽１２が形成される。
【００１７】
また、当該遮蔽枠体３の裏側には、複数の固定部品３１が形成され、前記の絶縁主体１の裏側には、対応する位置に、互いに係合するための固定部１１４が設けられ、これにより、当該遮蔽枠体３は、当該絶縁主体１上に固定される。各当該固定部品３１には、遮蔽枠体３から延ばす突出シート３１１と、当該突出シート３１１上に形成される係合シート３１２があり、各当該固定部品３１の係合シート３１２が各当該固定部１１４内に係合されることにより、固定される。
【００１８】
また、当該遮蔽枠体３には、更に、押さえ部品３２と、アース部品３３とがあり、当該アース部品３３は、前記のカード収納空間１３内に延ばして入り、その一部が、アースに供し、当該押さえ部品３２は、弾性的に、当該コネクタモジュール２のモジュール主体２１上に押さえる。
【００１９】
当該アース部品３３には、前記のカード収納空間１３内へ延ばす第１のアース部品３３１と、当該遮蔽枠体３から突出する第２のアース部品３３２とがあり、これにより、当該第１のアース部品３３１は、前記のカード収納空間１３内へ延ばして、図に表示されていない電子カードと電気的に接触し、また、当該第２のアース部品３３２は、アースに供し、当該遮蔽枠体３は、金属材であるため、各当該電子カードに、アースと言う機能を与える。
【００２０】
当該押さえ部品３２には、当該遮蔽枠体３上に形成される開口３２１と、夫々、当該開口３２１の両端に形成され、前記のモジュール主体２１の押さえ弾性シート３２２とがあり、これにより、当該遮蔽枠体３が当該絶縁主体１上を覆う時、当該押さえ部品３２の各当該押さえ弾性シート３２２が、適当に、弾性的に、コネクタモジュール２のモジュール主体２１上を押さえ、その押さえる方向は、前記の位置付け部品２３の弾性アーム２３１の係合方向と反対であり、これにより、当該モジュール主体２１は、安定的に位置付けられる。前記の第１の、第２のアース部品３３１、３３２と係合シート３１２は、当該押さえ弾性シート３２２が、予めに開口３２１を形成する方式で、形成される。
【００２１】
前記の本考案に係わるカード読取装置において、そのＳＭＴ溶接方式は、図１〜４のように、当該カード読取装置の一面により、図に表示されていない電子製品の回路基板上に溶接される。
【００２２】
図５は、本考案の他の実施例であり、他の一面で、本考案に係わるカード読取装置が、当該回路基板上に溶接されるため、当該カード読取装置の信号端子２２の溶接部２２２の全てと、既存の信号端子１４の溶接部の全てとは、逆に設置され、これにより、当該カード読取装置が、他の一面で、当該回路基板上に溶接される。
【００２３】
前記のような本考案の構造によれば、当該コネクタモジュール２上に、位置付け部品２３が設けられ、絶縁主体１上に、対応する組み立て部品１１が設けられるため、必要に応じて、当該コネクタモジュール２を交換することができ、即ち、これにより、適当に、第１種類の電子カードに対応する第１種類のコネクタモジュールに、第２種類の電子カードに対応する第２種類のコネクタモジュールに、．．．、第Ｎ種類の電子カードに対応する第Ｎ種類のコネクタモジュールに、交換できるため、活発的にかつ簡単的に交換でき、広く適用される。
【００２４】
更に、本考案の実装方式と特別な構造設計により、「コネクタモジュール２の信号端子２２の溶接部２２２の全て」と「既存の信号端子１４の溶接部の全て」が、同一の直線上に位置する。言いかえれば、本考案によれば、カード読取装置において、ＳＭＴ溶接が一括に行われ、溶接漏れや溶け込み不足があっても、簡単に溶接し直すことができる。
【００２５】
以上の陳述のように、本考案は、従来のカード読取装置の諸欠陥を解決でき、産業上の利用性や新鋭性及び進歩性があり、実用新案登録請求の要件に満たすため、法に従って出願する。
【００２６】
本考案は、実施例により、説明されるが、本考案の実用新案登録請求の範囲内に掲示される広義的な精神や観点に従って、変更や修正などの変化により、等価な機能を達成できるものは、本考案の実用新案登録請求の範囲に含まれている。
【図面の簡単な説明】
【００２７】
【図１】本考案に係わるカード読取装置の分解斜視図
【図２】本考案に係わるカード読取装置の他の角度の分解斜視図
【図３】本考案に係わるカード読取装置の一部の立体組み立て図
【図４】本考案に係わるカード読取装置の全体の立体組み立て図
【図５】本考案に係わるカード読取装置の他の実施例の分解斜視図
【符号の説明】
【００２８】
１  絶縁主体
１１  組み立て部品
１１１  組み立て体
１１２  位置付け部
１１３  凹み
１１４  固定部
１２  挿入槽
１３  カード収納空間
１４  既存の信号端子
２  コネクタモジュール
２１  モジュール主体
２２  信号端子
２２１  接触部
２２２  溶接部
２３  位置付け部品
２３１  弾性アーム
２３２  突出
３  遮蔽枠体
３１  固定部品
３１１  突出シート
３１２  係合シート
３２  押さえ部品
３２１  開口
３２２  押さえ弾性シート
３３  アース部品
３３１  第１のアース部品
３３２  第２のアース部品
【図１】
0003109586.tif 000003
【図２】
0003109586.tif 000004
【図３】
0003109586.tif 000005
【図４】
0003109586.tif 000006
【図５】
0003109586.tif 000007